(57)【特許請求の範囲】
【請求項１】
一次側で生成された高周波交流電力を電圧変換する溶接トランスと、その溶接トランスの二次側コイルから出力された高周波交流電力を直流変換する整流器とを備えた溶接用電源装置であって、
前記整流器は、前記二次側コイルのセンタータップを用いる全波整流器であり、前記二次側コイルの第１端子に接続され正相半波の整流を行う正相側整流部と、前記二次側コイルの第２端子に接続され逆相半波の整流を行う逆相側整流部とを備え、各整流部の出力端子同士を接続してなるものであり、
前記正相側整流部は、並列接続の複数の正相側整流素子を備えると共に、前記逆相側整流部は、並列接続の複数の逆相側整流素子を備え、同じ相の整流素子のカソード同士を接続する手前で、異なる相の整流素子のカソード同士を先に接続するように構成されていることを特徴とする溶接用電源装置。
【請求項２】
請求項１に記載の溶接用電源装置において、
前記正相側整流部及び前記逆相側整流部は、前記整流素子を同数の偶数個用い、全ての整流素子において、同じ相の整流素子のカソード同士を接続する手前で、異なる相の整流素子のカソード同士を先に接続するように構成されていることを特徴とする溶接用電源装置。
【請求項３】
請求項１又は２に記載の溶接用電源装置において、
前記整流器は、中央部に絶縁部材を備えその絶縁部材の両側に前記整流素子のアノード側を配置し、外側に向けて前記整流素子が順次配置されて構成されていることを特徴とする溶接用電源装置。
【請求項４】
一次側で生成された高周波交流電力を電圧変換する溶接トランスと、その溶接トランスの二次側コイルから出力された高周波交流電力を直流変換する整流器とを備えた溶接用電源装置のその整流器であって、
前記整流器は、前記二次側コイルのセンタータップを用いる全波整流器であり、前記二次側コイルの第１端子に接続され正相半波の整流を行う正相側整流部と、前記二次側コイルの第２端子に接続され逆相半波の整流を行う逆相側整流部とを備え、各整流部の出力端子同士を接続してなるものであり、
前記正相側整流部は、並列接続の複数の正相側整流素子を備えると共に、前記逆相側整流部は、並列接続の複数の逆相側整流素子を備え、同じ相の整流素子のカソード同士を接続する手前で、異なる相の整流素子のカソード同士を先に接続するように構成されていることを特徴とする溶接用電源装置の整流器。
【発明の詳細な説明】
【技術分野】
【０００１】
本発明は、抵抗溶接機等に用いられる溶接用電源装置、及び溶接用電源装置の整流器に関する。
【背景技術】
【０００２】
抵抗溶接機等に用いられる溶接用電源装置においてインバータ回路や溶接トランスを備える構成のものでは、溶接トランスの一次側のインバータ回路にて高周波交流電力を生成し、溶接トランスにて電圧変換された二次側の高周波交流電力を整流器を含む直流変換回路にて溶接に適した直流電力に変換することが行われている。整流器としては、例えば特許文献１〜３等にて開示されているように、整流素子（ダイオード）を用いた全波整流を行うものが知られている。
【先行技術文献】
【特許文献】
【０００３】
【特許文献１】特開平６−１４５４３号公報
【特許文献２】特開２０１１−２１２６９０号公報
【特許文献３】特開２０１１−２５１３３９号公報
【発明の概要】
【発明が解決しようとする課題】
【０００４】
ところで、整流器において電流容量を増加させるためには、整流素子を複数並列接続することがなされる。その際、整流素子の入出力端子をどのような組み合わせで接続するかによって整流素子を流れる電流の流れ易さに優劣が生じ、結果的に整流器全体の出力電流の許容値が制限を受けることになる。
【０００５】
本発明は、上記課題を解決するためになされたものであって、その目的は、整流素子を流れる電流が好適な流れとなる接続態様とし、出力電流の許容値の向上を図ることができる整流器、及びその整流器を備える溶接用電源装置を提供することにある。
【課題を解決するための手段】
【０００６】
上記課題を解決する溶接用電源装置は、一次側で生成された高周波交流電力を電圧変換する溶接トランスと、その溶接トランスの二次側コイルから出力された高周波交流電力を直流変換する整流器とを備えた溶接用電源装置であって、前記整流器は、前記二次側コイルのセンタータップを用いる全波整流器であり、前記二次側コイルの第１端子に接続され正相半波の整流を行う正相側整流部と、前記二次側コイルの第２端子に接続され逆相半波の整流を行う逆相側整流部とを備え、各整流部の出力端子同士を接続してなるものであり、前記正相側整流部は、並列接続の複数の正相側整流素子を備えると共に、前記逆相側整流部は、並列接続の複数の逆相側整流素子を備え、同じ相の整流素子のカソード同士を接続する手前で、異なる相の整流素子のカソード同士を先に接続するように構成される。
【０００７】
この構成によれば、正相側整流部として並列接続される複数の正相側整流素子と、逆相側整流部として並列接続される複数の逆相側整流素子とにおいて、同じ相の整流素子のカソード同士を接続する手前で、異なる相の整流素子のカソード同士が先に接続される。つまり、異なる相の整流素子のカソード同士が先に接続されることで、その接続点では全波電流となる。これにより、直後に全波電流となる整流素子は電流が流れ易い状況となることから、整流器の出力電流の許容値の向上を図ることが期待できる。
【０００８】
また、上記の溶接用電源装置において、前記正相側整流部及び前記逆相側整流部は、前記整流素子を同数の偶数個用い、全ての整流素子において、同じ相の整流素子のカソード同士を接続する手前で、異なる相の整流素子のカソード同士を先に接続するように構成されることが好ましい。
【０００９】
この構成によれば、正相側整流部及び逆相側整流部の各整流素子は同数の偶数個であり、全ての整流素子において同じ相の整流素子のカソード同士を接続する手前で、異なる相の整流素子のカソード同士が先に接続される。これにより、全ての整流素子において電流が流れ易い状況となることから、整流器の出力電流の許容値をより確実に向上できる。
【００１０】
また、上記の溶接用電源装置において、前記整流器は、中央部に絶縁部材を備えその絶縁部材の両側に前記整流素子のアノード側を配置し、外側に向けて前記整流素子が順次配置されて構成されることが好ましい。
【００１１】
この構成によれば、整流器は、中央部に設けた絶縁部材の両側に整流素子のアノード側を配置し、外側に向けて整流素子を順次配置する構成としたことから、中央部の絶縁部材を起点としてコンパクトに構成することが期待できる。
【００１２】
また、上記課題を解決する溶接用電源装置の整流器は、一次側で生成された高周波交流電力を電圧変換する溶接トランスと、その溶接トランスの二次側コイルから出力された高周波交流電力を直流変換する整流器とを備えた溶接用電源装置のその整流器であって、前記整流器は、前記二次側コイルのセンタータップを用いる全波整流器であり、前記二次側コイルの第１端子に接続され正相半波の整流を行う正相側整流部と、前記二次側コイルの第２端子に接続され逆相半波の整流を行う逆相側整流部とを備え、各整流部の出力端子同士を接続してなるものであり、前記正相側整流部は、並列接続の複数の正相側整流素子を備えると共に、前記逆相側整流部は、並列接続の複数の逆相側整流素子を備え、同じ相の整流素子のカソード同士を接続する手前で、異なる相の整流素子のカソード同士を先に接続するように構成される。
【００１３】
この構成によれば、出力電流の許容値の向上を図ることが期待できる溶接用電源装置の整流器として提供できる。
【発明の効果】
【００１４】
本発明の溶接用電源装置及び溶接用電源装置の整流器によれば、整流素子を流れる電流が好適な流れとなる接続態様となり、出力電流の許容値の向上を図ることができる。
【図面の簡単な説明】
【００１５】
【図１】一実施形態における抵抗溶接機の溶接用電源装置の構成図である。
【図２】（ａ）〜（ｃ）は、一実施形態における整流器の説明図である。
【図３】（ａ）〜（ｃ）は、比較例における整流器の説明図である。
【図４】（ａ）（ｂ）は、変形例における整流器の説明図である。
【発明を実施するための形態】
【００１６】
以下、溶接用電源装置（溶接用電源装置の整流器）の一実施形態について説明する。
図１に示すように、抵抗溶接機１に用いる溶接用電源装置２は、コンバータ回路３、インバータ回路４、溶接トランス５、整流器６、及び制御回路７を備えている。
【００１７】
コンバータ回路３は、交流電源８からの商用交流電力を直流電力に変換してインバータ回路４に出力する。インバータ回路４は、制御回路７の制御に基づいて、コンバータ回路３から出力される直流電力から高周波交流電力を生成し、溶接トランス５の一次側コイル５ａに出力する。溶接トランス５は、一次側コイル５ａにて受けたインバータ回路４からの高周波交流電力を電圧変換して二次側コイル５ｂから出力する。整流器６は、溶接トランス５の二次側コイル５ｂから出力された高周波交流電力を整流し、抵抗溶接に適した直流の出力電力に変換する。
【００１８】
整流器６は、溶接トランス５の二次側コイル５ｂのセンタータップ５ｃを用いる全波整流器であり、二組の整流部Ｄ１，Ｄ２を備えている。正相（正側）半波の整流を行う正相側整流部Ｄ１は二次側コイル５ｂの第１端子（５ｘ）に接続され、逆相（負側）半波の整流を行う逆相側整流部Ｄ２は二次側コイル５ｂの第２端子（５ｙ）に接続され、整流部Ｄ１，Ｄ２の出力端子同士が互いに接続されている。整流部Ｄ１，Ｄ２の出力端子は電源装置２の第１出力端子ｏ１に接続され、電源装置２の第２出力端子ｏ２は二次側コイル５ｂのセンタータップ５ｃと接続されている。第１及び第２出力端子ｏ１，ｏ２からは、電源装置２内で生成した直流の出力電力が出力される。
【００１９】
電源装置２の第１出力端子ｏ１は、抵抗溶接機１の第１アーム９ａの電極９ｘと接続され、電源装置２の第２出力端子ｏ２は、抵抗溶接機１の第２アーム９ｂの電極９ｙと接続される。そして、溶接時には、対向する電極９ｘ，９ｙ間に被溶接物Ｍ１，Ｍ２が配置され、電源装置２にて生成された直流の出力電力の供給により被溶接物Ｍ１，Ｍ２の電極９ｘ，９ｙ間の部分が抵抗となって発熱して溶接されるものである。
【００２０】
このような溶接用電源装置２において、出力電流の増大を図るのに伴い、整流器６の電流容量を増大させることが行われる。図２は、本実施形態（本案）の整流器６の具体構成を示す。因みに本実施形態では、溶接トランス５と整流器６とが一体的に組み付けられた整流器付きトランス装置として構成されている。
【００２１】
図２（ａ）の回路図に示すように、本実施形態の整流器６は、電流容量の増加を図るべく、正相側整流部Ｄ１として正相側第１整流素子Ｄ１１及び正相側第２整流素子Ｄ１２を備え、逆相側整流部Ｄ２として逆相側第１整流素子Ｄ２１及び逆相側第２整流素子Ｄ２２を備えている。
【００２２】
正相側第１及び第２整流素子Ｄ１１，Ｄ１２は、電流容量の増加のために互いに並列接続とすべく、それぞれのアノードが溶接トランス５の二次側コイル５ｂの第１端子５ｘに接続され、それぞれのカソードが互いに接続されている。また、逆相側第１及び第２整流素子Ｄ２１，Ｄ２２は、同様に互いに並列接続とすべく、それぞれのアノードが溶接トランス５の二次側コイル５ｂの第２端子５ｙに接続され、それぞれのカソードが互いに接続されている。
【００２３】
また本実施形態においては、正相側第１及び第２整流素子Ｄ１１，Ｄ１２のカソードが互いに接続する手前、並びに逆相側第１及び第２整流素子Ｄ２１，Ｄ２２のカソードが互いに接続する手前で、それぞれ正相側第１及び逆相側第１整流素子Ｄ１１，Ｄ２１のカソードが先に互いに接続され、正相側第２及び逆相側第２整流素子Ｄ１２，Ｄ２２のカソードが先に互いに接続される。つまり、正相側第１及び逆相側第１整流素子Ｄ１１，Ｄ２１のカソードを先に互いに接続し、また正相側第２及び逆相側第２整流素子Ｄ１２，Ｄ２２のカソードを先に互いに接続してから、正相側第１及び逆相側第１整流素子Ｄ１１，Ｄ２１のカソードと、正相側第２及び逆相側第２整流素子Ｄ１２，Ｄ２２のカソードとが互いに接続される。
【００２４】
こうして、正相側整流部Ｄ１として正相側第１及び第２整流素子Ｄ１１，Ｄ１２が並列接続となり、逆相側整流部Ｄ２として逆相側第１及び第２整流素子Ｄ２１，Ｄ２２が並列接続となって、互いに接続されたカソードが電源装置２の第１出力端子ｏ１に接続される。本実施形態の整流器６は、このような接続態様となるような構造的構成となっている。
【００２５】
図２（ｂ）の構造図に示すように、本実施形態の整流器６は、整流器６の中央部には板状の絶縁部材１０が配置され、その一方側で正相側第１及び逆相側第１整流素子Ｄ１１，Ｄ２１が並設され、他方側で正相側第２及び逆相側第２整流素子Ｄ１２，Ｄ２２が並設されている。
【００２６】
詳しくは、絶縁部材１０の一側面から外側に向けて順に説明すると、絶縁部材１０の一側面に固着されるアノード側端子導体Ｔａ１には逆相側第１整流素子Ｄ２１の整流素子本体２１のアノード側が固着され、整流素子本体２１のカソード側にはカソード側共用端子導体Ｔａ２が固着されている。カソード側共用端子導体Ｔａ２は、逆相側第１整流素子Ｄ２１と正相側第１整流素子Ｄ１１とで共用となっている。カソード側共用端子導体Ｔａ２には正相側第１整流素子Ｄ１１の整流素子本体１１のカソード側が固着され、整流素子本体１１のアノード側にはアノード側端子導体Ｔａ３が固着されている。
【００２７】
一方、絶縁部材１０の他側面から外側に向けて順に説明すると、絶縁部材１０の他側面に固着されるアノード側端子導体Ｔａ４には正相側第２整流素子Ｄ１２の整流素子本体１２のアノード側が固着され、整流素子本体１２のカソード側にはカソード側共用端子導体Ｔａ５が固着されている。カソード側共用端子導体Ｔａ５は、正相側第２整流素子Ｄ１２と逆相側第２整流素子Ｄ２２とで共用となっている。カソード側共用端子導体Ｔａ５には逆相側第２整流素子Ｄ２２の整流素子本体２２のカソード側が固着され、整流素子本体２２のアノード側にはアノード側端子導体Ｔａ６が固着されている。
【００２８】
そして、アノード側端子導体Ｔａ３，Ｔａ４がそれぞれ二次側コイル５ｂの第１端子５ｘに接続、アノード側端子導体Ｔａ１，Ｔａ６がそれぞれ二次側コイル５ｂの第２端子５ｙに接続され、カソード側共用端子導体Ｔａ２，Ｔａ５がそれぞれ電源装置２の第１出力端子ｏ１に接続されることで、図２（ａ）の回路図に示す接続態様となる。
【００２９】
ここで、図３（ａ）において、比較例における整流器６ｘを示す。比較例の整流器６ｘは、同様に、正相側整流部Ｄ１として正相側第１及び第２整流素子Ｄ１１，Ｄ１２を備え、逆相側整流部Ｄ２として逆相側第１及び第２整流素子Ｄ２１，Ｄ２２を備えている。
【００３０】
正相側第１及び正相側第２整流素子Ｄ１１，Ｄ１２は、電流容量の増加のために互いに並列接続とすべく、それぞれのアノードが溶接トランス５の二次側コイル５ｂの第１端子５ｘに接続され、それぞれのカソードが互いに接続されている。また、逆相側第１及び逆相側第２整流素子Ｄ２１，Ｄ２２は、同様に互いに並列接続とすべく、それぞれのアノードが溶接トランス５の二次側コイル５ｂの第２端子５ｙに接続され、それぞれのカソードが互いに接続されている。
【００３１】
この比較例においては、正相側第１及び第２整流素子Ｄ１１，Ｄ１２のカソードが互いに接続する手前、並びに逆相側第１及び第２整流素子Ｄ２１，Ｄ２２のカソードが互いに接続する手前で、先に正相側第１及び逆相側第１整流素子Ｄ１１，Ｄ２１のカソードが互いに接続され、次いで正相側第２及び逆相側第２整流素子Ｄ１２，Ｄ２２のカソードが互いに接続される。つまり、正相側第１及び逆相側第１整流素子Ｄ１１，Ｄ２１のカソードを先に互いに接続し、次いで正相側第２及び逆相側第２整流素子Ｄ１２，Ｄ２２のカソードを接続し、正相側第１及び逆相側第１整流素子Ｄ１１，Ｄ２１のカソードと、正相側第２及び逆相側第２整流素子Ｄ１２，Ｄ２２のカソードとが互いに接続される。この比較例の整流器６ｘは、本実施形態の整流器６と異なり、構造的構成からこのような接続態様になったことが推察される。
【００３２】
図３（ｂ）の構造図に示すように、比較例の整流器６ｘは、整流器６ｘの中央部にはカソード側共用端子導体Ｔｘ１が配置され、該端子導体Ｔｘ１を含めた一方側で正相側第１及び第２整流素子Ｄ１１，Ｄ１２が並設され、同じく端子導体Ｔｘ１を含めた他方側で逆相側第１及び第２整流素子Ｄ２１，Ｄ２２が並設されている。
【００３３】
詳しくは、比較例の整流器６ｘにおいては、正相側第１整流素子Ｄ１１と逆相側第１整流素子Ｄ２１との間にカソード側共用端子導体Ｔｘ１が、正相側第１及び第２整流素子Ｄ１１，Ｄ１２間にアノード側共用端子導体Ｔｘ２が、逆相側第１及び第２整流素子Ｄ２１，Ｄ２２間にアノード側共用端子導体Ｔｘ３がそれぞれ設けられている。カソード側共用端子導体Ｔｘ１の一側面には正相側第１整流素子Ｄ１１の整流素子本体１１のカソード側が固着され、整流素子本体１１のアノード側にはアノード側共用端子導体Ｔｘ２が固着されている。アノード側共用端子導体Ｔｘ２には正相側第２整流素子Ｄ１２の整流素子本体１２のアノード側が固着され、整流素子本体１２のカソード側にはカソード側端子導体Ｔｘ４が固着されている。
【００３４】
カソード側共用端子導体Ｔｘ１の他側面には逆相側第１整流素子Ｄ２１の整流素子本体２１のカソード側が固着され、整流素子本体２１のアノード側にはアノード側共用端子導体Ｔｘ３が固着されている。アノード側共用端子導体Ｔｘ３には逆相側第２整流素子Ｄ２２の整流素子本体２２のアノード側が固着され、整流素子本体２２のカソード側にはカソード側端子導体Ｔｘ５が固着されている。
【００３５】
そして、アノード側共用端子導体Ｔｘ２が二次側コイル５ｂの第１端子５ｘに、アノード側共用端子導体Ｔｘ３が二次側コイル５ｂの第２端子５ｙにそれぞれ接続され、カソード側共用端子導体Ｔｘ１とカソード側端子導体Ｔｘ４，Ｔｘ５とが互いに接続されて電源装置２の第１出力端子ｏ１に接続されることで、図３（ａ）の回路図に示す接続態様となる。このような比較例の整流器６ｘにおいては、元々正相側第１整流素子Ｄ１１と逆相側第１整流素子Ｄ２１とを備えたものをベースに正相側第２整流素子Ｄ１２と逆相側第２整流素子Ｄ２２とを後に追加することで、電流容量の増加を図るようにしたことが窺える。比較例の整流器６ｘは、本実施形態の整流器６よりも端子導体が少なく構成でき、絶縁部材１０を用いない点では有利に見える。
【００３６】
しかしながら、比較例の整流器６ｘは、本実施形態の整流器６よりも出力電流の許容値が小さくなってしまう。
図３（ｃ）は、比較例の整流器６ｘの各箇所ａ〜ｈ（図中は、マルａ〜ｈ）の電流波形を示す。二次側コイル５ｂの第１端子５ｘである箇所ａの電流波形は、正相（正側）半波の電流波形であり、二次側コイル５ｂの第２端子５ｙである箇所ｂの電流波形は、逆相（負側）半波の電流波形である。つまり、正相側整流部Ｄ１（正相側第１及び第２整流素子Ｄ１１，Ｄ１２）、並びに逆相側整流部Ｄ２（逆相側第１及び第２整流素子Ｄ２１，Ｄ２２）の入力電流である。各整流素子Ｄ１１，Ｄ１２，Ｄ２１，Ｄ２２のカソード（箇所ｃ〜ｆ）の電流波形は、それぞれ半波電流となる。
【００３７】
このとき、正相側第２及び逆相側第２整流素子Ｄ１２，Ｄ２２のカソード（箇所ｃ，ｆ）の半波電流は、正相側第１及び逆相側第１整流素子Ｄ１１，Ｄ２１のカソード（箇所ｄ，ｅ）の半波電流と比べて電流降下量が大きくなってしまう。これは、正相側第１及び逆相側第１整流素子Ｄ１１，Ｄ２１のカソードが直後に互いに接続されることでその接続点（箇所ｇ）にて全波電流となる一方で、正相側第２及び逆相側第２整流素子Ｄ１２，Ｄ２２のカソードは同接続点後の合流点までそれぞれ正相半波電流、逆相半波電流のままであるためである。
【００３８】
つまり、直後に全波電流となる正相側第１及び逆相側第１整流素子Ｄ１１，Ｄ２１は電流が流れ易いが、直後で半波電流のままの正相側第２及び逆相側第２整流素子Ｄ１２，Ｄ２２は電流の流れ易さが若干劣る状況となっている。結果、合流点（箇所ｈ）では全波電流とこれよりも電流降下量の大きい正相半波電流及び逆相半波電流とが合流するため、出力端子ｏ１から出力される出力電流の許容値は小さくなってしまう。
【００３９】
これに対し本実施形態の整流器６は、比較例の整流器６ｘよりも出力電流の許容値を大きくすることが可能である。
図２（ｃ）は、本実施形態の整流器６の各箇所ａ〜ｉ（図中は、マルａ〜ｉ）の電流波形を示す。
【００４０】
本実施形態の整流器６では、正相側第１及び第２整流素子Ｄ１１，Ｄ１２と逆相側第１及び第２整流素子Ｄ２１，Ｄ２２の各カソード（箇所ｃ〜ｆ）の半波電流は、何れも電流降下量が小さい。これは、正相側第１及び逆相側第１整流素子Ｄ１１，Ｄ２１のカソードが直後に互いに接続され、正相側第２及び逆相側第２整流素子Ｄ１２，Ｄ２２のカソードが直後に互いに接続されるため、何れの接続点（箇所ｇ，ｈ）においても全波電流となるためである。
【００４１】
つまり、本実施形態では、直後に全波電流となる正相側第１及び逆相側第１整流素子Ｄ１１，Ｄ２１、正相側第２及び逆相側第２整流素子Ｄ１２，Ｄ２２の何れにおいても同等に電流が流れ易い状況となっている。結果、合流点（箇所ｉ）では電流降下量の小さい全波電流同士が合流するため、出力端子ｏ１から出力される出力電流の許容値を大きくすることが可能となっている。このように本実施形態の整流器６では、出力電流の許容値を向上できる構成となっている。
【００４２】
次に、本実施形態の特徴的な効果を記載する。
（１）整流器６の正相側整流部Ｄ１として並列接続される正相側第１及び第２整流素子Ｄ１１，Ｄ１２と、逆相側整流部Ｄ２として並列接続される逆相側第１及び第２整流素子Ｄ２１，Ｄ２２とにおいて、同じ相の整流素子（Ｄ１１とＤ１２、Ｄ２１とＤ２２）のカソード同士を接続する手前で、異なる相の整流素子（Ｄ１１とＤ２１、Ｄ１２とＤ２２）のカソード同士が先に接続される。つまり、異なる相の整流素子（Ｄ１１とＤ２１、Ｄ１２とＤ２２）のカソード同士が先に接続されることで、その接続点では全波電流となる。これにより、直後に全波電流となる整流素子Ｄ１１，Ｄ１２，Ｄ２１，Ｄ２２は電流が流れ易い状況となることから、整流器６の出力電流の許容値の向上を図ることができる。
【００４３】
（２）正相側整流部Ｄ１及び逆相側整流部Ｄ２の各整流素子Ｄ１１，Ｄ１２，Ｄ２１，Ｄ２２は同数の偶数個（それぞれ２個）であり、全ての整流素子Ｄ１１，Ｄ１２，Ｄ２１，Ｄ２２において同じ相の整流素子（Ｄ１１とＤ１２、Ｄ２１とＤ２２）のカソード同士を接続する手前で、異なる相の整流素子（Ｄ１１とＤ２１、Ｄ１２とＤ２２）のカソード同士が先に接続される。これにより本実施形態では、全ての整流素子Ｄ１１，Ｄ１２，Ｄ２１，Ｄ２２において電流が流れ易い状況となることから、整流器６の出力電流の許容値をより確実に向上できる構成である。
【００４４】
（３）本実施形態の整流器６は、中央部に設けた絶縁部材１０の両側に整流素子Ｄ２１，Ｄ１２のアノード側を配置し、外側に向けて整流素子Ｄ１１，Ｄ２２を順次配置する構成としていることから、中央部の絶縁部材１０を起点としてコンパクトに構成することが可能である。
【００４５】
なお、上記実施形態は、以下のように変更してもよい。
・整流器６の正相側整流部Ｄ１と逆相側整流部Ｄ２とを、それぞれ２つの整流素子Ｄ１１，Ｄ１２、整流素子Ｄ２１，Ｄ２２の並列接続にて構成したが、並列接続する整流素子の数はこれに限らず、適宜変更してもよい。
【００４６】
例えば図４（ａ）（ｂ）に示す整流器６ａは、図２に示す整流器６の正相側第１及び第２整流素子Ｄ１１，Ｄ１２、逆相側第１及び第２整流素子Ｄ２１，Ｄ２２に対して、更に各相側に２つの整流素子をそれぞれ追加するものである。つまり、正相側第３及び第４整流素子Ｄ１３，Ｄ１４、逆相側第３及び第４整流素子Ｄ２３，Ｄ２４が追加されている。
【００４７】
図４（ｂ）の構造図に示すように、整流器６ａは、図２に示す整流器６の最も外側に位置していたアノード側端子導体Ｔａ３，Ｔａ６がアノード側共用端子導体Ｔａ７，Ｔａ１０に置換され、アノード側共用端子導体Ｔａ７には正相側第３整流素子Ｄ１３の整流素子本体１３のアノード側が固着され、整流素子本体１３のカソード側にはカソード側共用端子導体Ｔａ８が固着されている。カソード側共用端子導体Ｔａ８には逆相側第３整流素子Ｄ２３の整流素子本体２３が固着され、整流素子本体２３のアノード側にはアノード側端子導体Ｔａ９が固着されている。
【００４８】
また、アノード側共用端子導体Ｔａ１０には逆相側第４整流素子Ｄ２４の整流素子本体２４のアノード側が固着され、整流素子本体２４のカソード側にはカソード側共用端子導体Ｔａ１１が固着されている。カソード側共用端子導体Ｔａ１１には正相側第４整流素子Ｄ１４の整流素子本体１４が固着され、整流素子本体１４のアノード側にはアノード側端子導体Ｔａ１２が固着されている。
【００４９】
そして、アノード側共用端子導体Ｔａ７とアノード側端子導体Ｔａ４，Ｔａ１２とがそれぞれ二次側コイル５ｂの第１端子５ｘに接続、アノード側共用端子導体Ｔａ１０とアノード側端子導体Ｔａ１，Ｔａ９がそれぞれ二次側コイル５ｂの第２端子５ｙに接続され、カソード側共用端子導体Ｔａ２，Ｔａ５，Ｔａ８，Ｔａ１１がそれぞれ電源装置２の第１出力端子ｏ１に接続されることで、図４（ａ）の回路図に示す接続態様となる。
【００５０】
このような整流器６ａにおいても各整流素子Ｄ１１〜Ｄ１４，Ｄ２１〜Ｄ２４のカソードが直後に異なる相同士で接続されて全波電流となることから、整流器６ａの出力電流の許容値を向上できる構成である。つまり、図２及び図４の態様のように、各整流部Ｄ１，Ｄ２を２つ、４つの整流素子を用いるというように、整流素子を同数で偶数個用いるのが好ましい。
【００５１】
・整流器６，６ａの中央部に板状の絶縁部材１０を用いたが、絶縁する手段はこれに限らない。また、端子導体を離間配置する等、空気やその他の流体にて絶縁を図る構成としてもよい。
【００５２】
・抵抗溶接機１に用いる溶接用電源装置２の整流器６，６ａに適用したが、この整流器６，６ａを抵抗溶接機以外の溶接用電源装置に適用してもよく、また溶接以外の電源装置に適用してもよい。
【００５３】
次に、上記実施形態及び別例から把握できる技術的思想を以下に追記する。
（イ）請求項１〜３の何れか１項に記載の溶接用電源装置は、抵抗溶接機に用いるものであることを特徴とする溶接用電源装置。
【符号の説明】
【００５４】
２        溶接用電源装置
５        溶接トランス
５ｂ      二次側コイル
５ｃ      センタータップ
５ｘ      第１端子
５ｙ      第２端子
６        整流器
６ａ      整流器
１０      絶縁部材
Ｄ１      正相側整流部
Ｄ１１    正相側整流素子（正相側第１整流素子）
Ｄ１２    正相側整流素子（正相側第２整流素子）
Ｄ１３    正相側整流素子（正相側第３整流素子）
Ｄ１４    正相側整流素子（正相側第４整流素子）
Ｄ２      逆相側整流部
Ｄ２１    逆相側整流素子（逆相側第１整流素子）
Ｄ２２    逆相側整流素子（逆相側第２整流素子）
Ｄ２３    逆相側整流素子（逆相側第３整流素子）
Ｄ２４    逆相側整流素子（逆相側第４整流素子）
【図１】
0006324851.tif 000002
【図２】
0006324851.tif 000003
【図３】
0006324851.tif 000004
【図４】
0006324851.tif 000005